(57)【要約】【課題】任意の範囲の照射野を放射線変換パネルの任意の位置に容易且つ高精度に設定することができる放射線画像撮影装置及びその調整方法を提供する。【解決手段】本発明は、放射線画像撮影装置及びその調整方法に関するものであり、パラメータＰ１、Ｐ２を設定してコリメータ３２を調整し、Ｘ線を放射線変換パネル３８に照射して、パラメータＰ１、Ｐ２に対する遮蔽板４４ａ〜４４ｄの各位置ａ１、ｂ１、ｃ１、ｄ１及びａ２、ｂ２、ｃ２、ｄ２を算出し、次いで、各位置ａ１、ｂ１、ｃ１、ｄ１及びａ２、ｂ２、ｃ２、ｄ２から、所望の照射野１１６となるパラメータＰを線形補間により算出する。そして、算出したパラメータＰに従ってコリメータ３２を調整する。【選択図】図６
2009291472.tif 000002
【特許請求の範囲】
【請求項１】
放射線を出力する放射線源と、
被写体を透過した前記放射線が照射され、前記放射線を前記被写体の放射線画像情報に変換する放射線変換パネルと、
前記放射線源と前記放射線変換パネルとの間に配設され、前記放射線変換パネルに対する前記放射線の照射野を規定するコリメータと、
前記コリメータを構成し、前記放射線変換パネルに照射される前記放射線の一部を遮蔽する少なくとも１枚の遮蔽板を移動させ、前記照射野を調整する照射野調整部と、
前記コリメータを介して前記放射線変換パネルに前記放射線を照射することで得られる照射野情報と、前記放射線変換パネルの画像検出領域とを用いて、所望の照射野を得ることのできる遮蔽板位置を算出する遮蔽板位置算出部と、
を備え、前記照射野調整部は、算出された前記遮蔽板位置に従って前記遮蔽板を移動させ、前記照射野を調整することを特徴とする放射線画像撮影装置。
【請求項２】
請求項１記載の装置において、
前記コリメータを構成する前記遮蔽板は、前記照射野調整部により独立に移動可能な４枚の遮蔽板からなり、前記４枚の遮蔽板で囲繞される開口部により前記照射野が規定されることを特徴とする放射線画像撮影装置。
【請求項３】
請求項１記載の装置において、
当該放射線画像撮影装置は、マンモグラフィ装置であることを特徴とする放射線画像撮影装置。
【請求項４】
放射線源から出力された放射線をコリメータを介して放射線変換パネルに照射し、被写体の放射線画像を撮影する放射線画像撮影装置において、
前記コリメータを構成し、前記放射線変換パネルに照射される前記放射線の一部を遮蔽する遮蔽板を第１調整位置に設定し、その状態で前記放射線変換パネルに前記放射線を照射して第１照射野情報を取得するステップと、
前記遮蔽板を前記第１調整位置と異なる第２調整位置に設定し、その状態で前記放射線変換パネルに前記放射線を照射して第２照射野情報を取得するステップと、
前記第１照射野情報及び前記第２照射野情報を用いて、所望の照射野を得ることのできる前記遮蔽板の調整位置を算出するステップと、
を有し、前記遮蔽板を前記調整位置に設定することを特徴とする放射線画像撮影装置の調整方法。
【請求項５】
請求項４記載の方法において、
前記調整位置は、前記第１照射野情報及び前記第２照射野情報を線形補間して求めることを特徴とする放射線画像撮影装置の調整方法。
【発明の詳細な説明】
【技術分野】
【０００１】
本発明は、放射線変換パネルにおける放射線の照射野を調整して撮影を行う放射線画像撮影装置及びその調整方法に関する。
【背景技術】
【０００２】
医療分野において、被写体に放射線を照射し、被写体を透過した放射線を放射線変換パネルに導いて放射線画像を撮影する放射線画像撮影装置が広汎に使用されている。
【０００３】
この場合、放射線変換パネルとして、蛍光体に放射線画像としての放射線エネルギを蓄積し、励起光を照射することで放射線画像を輝尽発光光として取り出すことのできる蓄積性蛍光体パネルが知られている。放射線画像が記録された蓄積性蛍光体パネルは、読取装置に供給して読取処理を行うことで、可視画像としての放射線画像を得ることができる。
【０００４】
また、手術室等の医療現場においては、患者に対して迅速且つ的確な処置を施すため、放射線変換パネルから直ちに放射線画像情報を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
これらの放射線変換パネルを使用して放射線画像を撮影する放射線画像撮影装置では、被写体の不必要な部位が被曝されることを回避するため、あるいは、放射線変換パネルの所望の範囲に放射線を照射して適切な画像を取得するため、放射線の照射野を規定するコリメータを放射線源の近傍に設置している。
【０００６】
通常、照射野の調整に際しては、放射線変換パネルに放射線を照射して放射線画像を取得し、その放射線画像を目視で確認しながらコリメータを調整して行われる。
【０００７】
しかしながら、このような調整作業を行う間、作業者は、放射線を被曝するおそれがある。そこで、コリメータの調整作業を短時間で行うことのできる放射線画像撮影装置が提案されている（特許文献１参照）。
【０００８】
この従来技術では、コリメータを介して放射線変換パネルに放射線を照射し、得られた放射線画像情報から、コリメータによる照射野と放射線変換パネルの受光面の中心位置とのずれ及び傾斜を算出し、コリメータを放射線変換パネルに沿った２次元平面内で平行移動及び回転移動させることで調整している。
【０００９】
【特許文献１】特開２００６−１２２４８８号公報
【発明の開示】
【発明が解決しようとする課題】
【００１０】
この場合、放射線変換パネルの中心位置の情報を用いて、照射野の中心と放射線変換パネルの中心とが一致するように調整を行っているだけであり、放射線変換パネルの任意の位置に照射野を調整するものではない。
【００１１】
また、放射線変換パネルの画像検出領域を有効に利用するため、照射野は、通常、前記検出領域よりも若干広い範囲に設定される。しかしながら、従来技術では、照射野の範囲まで調整することはできない。
【００１２】
本発明は、前記の課題を解決するためになされたものであり、任意の範囲の照射野を放射線変換パネルの任意の位置に容易且つ高精度に設定することができる放射線画像撮影装置及びその調整方法を提供することを目的とする。
【課題を解決するための手段】
【００１３】
本発明は、放射線を出力する放射線源と、
被写体を透過した前記放射線が照射され、前記放射線を前記被写体の放射線画像情報に変換する放射線変換パネルと、
前記放射線源と前記放射線変換パネルとの間に配設され、前記放射線変換パネルに対する前記放射線の照射野を規定するコリメータと、
前記コリメータを構成し、前記放射線変換パネルに照射される前記放射線の一部を遮蔽する少なくとも１枚の遮蔽板を移動させ、前記照射野を調整する照射野調整部と、
前記コリメータを介して前記放射線変換パネルに前記放射線を照射することで得られる照射野情報と、前記放射線変換パネルの画像検出領域とを用いて、所望の照射野を得ることのできる遮蔽板位置を算出する遮蔽板位置算出部と、
を備え、前記照射野調整部は、算出された前記遮蔽板位置に従って前記遮蔽板を移動させ、前記照射野を調整することを特徴とする。
【００１４】
また、本発明は、放射線源から出力された放射線をコリメータを介して放射線変換パネルに照射し、被写体の放射線画像を撮影する放射線画像撮影装置において、
前記コリメータを構成し、前記放射線変換パネルに照射される前記放射線の一部を遮蔽する遮蔽板を第１調整位置に設定し、その状態で前記放射線変換パネルに前記放射線を照射して第１照射野情報を取得するステップと、
前記遮蔽板を前記第１調整位置と異なる第２調整位置に設定し、その状態で前記放射線変換パネルに前記放射線を照射して第２照射野情報を取得するステップと、
前記第１照射野情報及び前記第２照射野情報を用いて、所望の照射野を得ることのできる前記遮蔽板の調整位置を算出するステップと、
を有し、前記遮蔽板を前記調整位置に設定することを特徴とする。
【発明の効果】
【００１５】
本発明では、放射線変換パネルの画像検出域よりも広い範囲を含む任意の範囲の照射野を放射線変換パネルの任意の位置に容易且つ高精度に設定することができる。
【発明を実施するための最良の形態】
【００１６】
図１は、本発明の放射線画像撮影装置及びその調整方法が適用されるマンモグラフィ装置１０である。マンモグラフィ装置１０は、被写体１２の乳房の放射線画像を撮影する装置であり、基台１４に対して旋回可能に連結されたアーム部材１６の一端部に配設された放射線源収納部１８と、アーム部材１６の他端部に配設された撮影台２０と、撮影台２０に対して矢印方向に移動可能に構成された圧迫板２２と、被写体情報、撮影条件等を表示する表示部２４とを備える。
【００１７】
図２は、放射線源収納部１８及び撮影台２０の内部構造の説明図である。放射線源収納部１８には、高電圧が印加されて電子線を出力する陰極２６及び電子線が衝突することでＸ線を発生するＭｏ等のターゲット２８を有する放射線源３０と、ターゲット２８から出力されたＸ線の照射野を規定するコリメータ３２と、Ｘ線のエネルギを撮影条件や撮影対象に応じて調整するフィルタ３４とが収納される。また、撮影台２０には、被写体１２の乳房３６を透過したＸ線を電荷情報としての放射線画像情報に変換する放射線変換パネル３８が収納される。
【００１８】
図３は、コリメータ３２の構成図である。コリメータ３２は、開口部４０を有する基板４２と、基板４２に装着され、矢印Ｘ方向及び矢印Ｙ方向に独立に移動可能な長方形状の４枚の遮蔽板４４ａ〜４４ｄとを備える。遮蔽板４４ａ、４４ｂは、一端部がガイドレール４６に移動可能に係合する一方、他端部にラック４８ａ、４８ｂが形成される。ラック４８ａ、４８ｂには、モータ５０ａ、５０ｂによって回転するピニオン５２ａ、５２ｂが噛合する。同様に、遮蔽板４４ｃ、４４ｄは、一端部がガイドレール５４に移動可能に係合する一方、他端部にラック４８ｃ、４８ｄが形成される。ラック４８ｃ、４８ｄには、モータ５０ｃ、５０ｄによって回転するピニオン５２ｃ、５２ｄが噛合する。遮蔽板４４ａ〜４４ｄは、Ｘ線が通過する開口部５６の位置及び領域を規定する。
【００１９】
図４は、撮影台２０に収納される放射線変換パネル３８の回路構成図である。
【００２０】
放射線変換パネル３８は、放射線を感知して電荷を発生させるアモルファスセレン（ａ−Ｓｅ）等の物質からなる光電変換層５８を行列状の薄膜トランジスタ（ＴＦＴ：Thin Film Transistor）６０のアレイの上に配置した構造を有し、発生した電荷を蓄積容量６２に蓄積した後、各行毎にＴＦＴ６０を順次オンにして、電荷を画像信号として読み出す。図４では、光電変換層５８及び蓄積容量６２からなる１つの画素６４と１つのＴＦＴ６０との接続関係のみを示し、その他の画素６４の構成については省略している。なお、アモルファスセレンは、高温になると構造が変化して機能が低下してしまうため、所定の温度範囲内で使用する必要がある。従って、撮影台２０内に放射線変換パネル３８を冷却する手段を配設することが好ましい。
【００２１】
各画素６４に接続されるＴＦＴ６０には、行方向と平行に延びるゲート線６６と、列方向と平行に延びる信号線６８とが接続される。各ゲート線６６は、ライン走査駆動部７０に接続され、各信号線６８は、読取回路を構成するマルチプレクサ７２に接続される。
【００２２】
ゲート線６６には、行方向に配列されたＴＦＴ６０をオンオフ制御する制御信号Ｖｏｎ、Ｖｏｆｆがライン走査駆動部７０から供給される。この場合、ライン走査駆動部７０は、ゲート線６６を切り替える複数のスイッチＳＷ１と、スイッチＳＷ１の１つを選択する選択信号を出力するアドレスデコーダ７４とを備える。アドレスデコーダ７４には、パネル制御部７６からアドレス信号が供給される。
【００２３】
また、信号線６８には、列方向に配列されたＴＦＴ６０を介して各画素６４の蓄積容量６２に保持されている電荷が流出する。この電荷は、増幅器７８によって増幅される。増幅器７８には、サンプルホールド回路８０を介してマルチプレクサ７２が接続される。マルチプレクサ７２は、信号線６８を切り替える複数のスイッチＳＷ２と、スイッチＳＷ２の１つを選択する選択信号を出力するアドレスデコーダ８２を備える。アドレスデコーダ８２には、パネル制御部７６からアドレス信号が供給される。マルチプレクサ７２には、Ａ／Ｄ変換器８４が接続され、Ａ／Ｄ変換器８４によってデジタル信号に変換された放射線画像情報がパネル制御部７６に供給される。
【００２４】
図５は、マンモグラフィ装置１０の制御回路ブロック図である。
【００２５】
マンモグラフィ装置１０の制御回路は、技師による曝射スイッチ８７の操作に従い、放射線源３０を駆動する放射線源駆動部８８と、コリメータ３２の各モータ５０ａ〜５０ｄを駆動するコリメータ駆動部９０（照射野調整部）と、圧迫板２２を移動させる圧迫板駆動部９２と、放射線変換パネル３８を制御するパネル制御部７６とを備える。
【００２６】
また、制御回路は、被写体１２及びその撮影部位に応じた撮影条件である管電圧、管電流、Ｘ線の被写体１２に対する照射時間を含む撮影条件を設定する撮影条件設定部９６を備える。これらの撮影条件は、放射線源駆動部８８に設定される。また、制御回路は、コリメータ３２の各遮蔽板４４ａ〜４４ｄを所定位置に配置するためのパラメータを設定するパラメータ設定部９８と、設定されたパラメータに従ってコリメータ３２を移動制御するコリメータ制御部１００と、技師による圧迫板移動スイッチ１０２の操作に従い、圧迫板２２を移動制御する圧迫板制御部１０４と、パネル制御部７６から取得した放射線画像情報に対して画像処理を行う画像処理部１０６と、画像処理された放射線画像情報である照射野情報と放射線変換パネル３８の画像検出領域とに基づき、放射線変換パネル３８に対する各遮蔽板４４ａ〜４４ｄの位置を算出する遮蔽板位置算出部１０８とを備える。遮蔽板位置算出部１０８は、算出した各遮蔽板４４ａ〜４４ｄの位置から、遮蔽板４４ａ〜４４ｄを所定位置に調整するためのパラメータを算出してパラメータ設定部９８に設定する。
【００２７】
本実施形態のマンモグラフィ装置１０は、基本的には以上のように構成されるものであり、次に、コリメータ３２を駆動し、放射線変換パネル３８に対するＸ線の照射野を調整する作業について、図６に示すフローチャートに従って説明する。
【００２８】
先ず、パラメータ設定部９８は、図７に示すように、放射線変換パネル３８の画像検出領域１１０内にＸ線の照射野１１２が確実に入るパラメータＰ１（図８）を設定し（ステップＳ１）、そのパラメータＰ１をコリメータ制御部１００に供給する。なお、パラメータＰ１は、各遮蔽板４４ａ〜４４ｄ毎に独立に設定することができる。コリメータ制御部１００は、供給されたパラメータＰ１に従い、コリメータ駆動部９０を制御して各モータ５０ａ〜５０ｄを駆動し、遮蔽板４４ａ〜４４ｄを移動させる（ステップＳ２）。
【００２９】
モータ５０ａ〜５０ｄは、ピニオン５２ａ〜５２ｄを回転させ、ピニオン５２ａ〜５２ｄに噛合するラック４８ａ〜４８ｄを介して各遮蔽板４４ａ〜４４ｄが移動し、照射野１１２に対応した開口部５６が形成される。
【００３０】
前記の状態に設定された後、放射線源駆動部８８は、放射線源３０を駆動してＸ線を放射線変換パネル３８に照射する（ステップＳ３）。すなわち、放射線源駆動部８８は、放射線源３０の陰極２６に高電圧を印加する。高電圧が印加された陰極２６からは、電子線が出力され、この電子線がターゲット２８に衝突することにより、Ｘ線が発生する。ターゲット２８から発生したＸ線は、パラメータＰ１に従って開口部５６が調整されたコリメータ３２を介して放射線変換パネル３８に照射され、図７に示す照射野１１２内に照射される。
【００３１】
照射野１１２内にＸ線が照射された放射線変換パネル３８は、Ｘ線を放射線画像情報に変換する。なお、Ｘ線を放射線画像情報に変換する処理については、後述する。
【００３２】
画像処理部１０６は、放射線画像情報を第１照射野情報として取得し（ステップＳ４）、必要な画像処理を施す。遮蔽板位置算出部１０８は、画像処理部１０６から供給される第１照射野情報に従い、放射線変換パネル３８の画像検出領域１１０の各位置Ａ〜Ｄを基準とする各遮蔽板４４ａ〜４４ｄの位置ａ１、ｂ１、ｃ１、ｄ１（第１調整位置）を算出する（ステップＳ５）。なお、図８は、遮蔽板４４ａの位置ａ１のみを示す。他の遮蔽板４４ｂ〜４４ｄの位置ｂ１、ｃ１、ｄ１も同様にして算出される。
【００３３】
次いで、遮蔽板４４ａ〜４４ｄの次の位置ａ２、ｂ２、ｃ２、ｄ２（第２調整位置）を算出するため（ステップＳ６）、パラメータ設定部９８は、図７に示すように、放射線変換パネル３８の画像検出領域１１０内にＸ線の照射野１１４が確実に入るパラメータＰ２（Ｐ１≠Ｐ２）（図８）を設定し（ステップＳ７）、そのパラメータＰ２をコリメータ制御部１００に供給した後、ステップＳ２〜Ｓ５の処理を繰り返すことにより、第２照射野情報としての放射線画像情報を取得する。そして、遮蔽板位置算出部１０８は、この第２照射野情報を用いて、放射線変換パネル３８の画像検出領域１１０の各位置Ａ〜Ｄを基準とする各遮蔽板４４ａ〜４４ｄの位置ａ２、ｂ２、ｃ２、ｄ２を算出する（ステップＳ５）。
【００３４】
遮蔽板位置算出部１０８は、算出した各遮蔽板４４ａ〜４４ｄの位置ａ１、ｂ１、ｃ１、ｄ１及び位置ａ２、ｂ２、ｃ２、ｄ２を用いて、放射線変換パネル３８の画像検出領域１１０に対して所定の照射野１１６を設定することのできるパラメータＰを算出する（ステップＳ８）。
【００３５】
すなわち、図８に示すように、パラメータＰ１を設定したときの遮蔽板４４ａの位置ａ１と、パラメータＰ２を設定したときの遮蔽板４４ａの位置ａ２とから直線Ｌを決定し、この直線Ｌを用いて、遮蔽板４４ａの位置をａ３とすることのできるパラメータＰを線形補間により算出する。他の遮蔽板４４ｂ〜４４ｄの位置をｂ３、ｃ３、ｄ３とすることのできるパラメータＰも同様にして求めることができる。
【００３６】
コリメータ制御部１００は、以上のようにして算出されたパラメータＰを用いて、各遮蔽板４４ａ〜４４ｄの位置を調整する（ステップＳ９）。この場合、各遮蔽板４４ａ〜４４ｄは、それぞれの位置を独立に調整することができるため、放射線変換パネル３８の画像検出領域１１０に対して、任意の照射野１１６を設定することができる。しかも、遮蔽板４４ａ〜４４ｄの位置ａ１、ｂ１、ｃ１、ｄ１及び位置ａ２、ｂ２、ｃ２、ｄ２は、放射線変換パネル３８の画像検出領域１１０を基準として求められるため、遮蔽板４４ａ〜４４ｄを位置ａ３、ｂ３、ｃ３、ｄ３とすることのできるパラメータＰを容易且つ高精度に算出することができる。
【００３７】
上記のようにして、コリメータ３２を適切な位置に調整した後、乳房３６の撮影を開始する。
【００３８】
そこで、被写体１２の乳房３６を撮影台２０に配置した後、作業者は、圧迫板移動スイッチ１０２を操作する。圧迫板移動スイッチ１０２が操作されると、圧迫板制御部１０４は、圧迫板駆動部９２を制御し、圧迫板２２による乳房３６の圧迫が開始される。
【００３９】
乳房３６が所定の圧迫状態とされた後、作業者は、曝射スイッチ８７を操作する。曝射スイッチ８７が操作されると、放射線源駆動部８８は、撮影条件設定部９６によって設定された撮影条件、例えば、被写体１２の年齢、乳房３６の状態、撮影方法等に従った管電圧、管電流、照射時間等に基づき、放射線源３０を駆動して、Ｘ線を乳房３６に照射する。
【００４０】
放射線源３０から出力されたＸ線は、コリメータ３２によって図７に示す照射野１１６に調整された後、フィルタ３４、圧迫板２２及び乳房３６を介して放射線変換パネル３８に照射される。
【００４１】
放射線変換パネル３８を構成する各画素６４の光電変換層５８は、入射したＸ線を電気信号に変換し、その電気信号が蓄積容量６２に電荷として保持される。次いで、各蓄積容量６２に保持された乳房３６の放射線画像情報である電荷情報は、パネル制御部７６からライン走査駆動部７０及びマルチプレクサ７２に供給されるアドレス信号に従って読み出される。
【００４２】
すなわち、ライン走査駆動部７０のアドレスデコーダ７４は、パネル制御部７６から供給されるアドレス信号に従って選択信号を出力してスイッチＳＷ１の１つを選択し、対応するゲート線６６に接続されたＴＦＴ６０のゲートに制御信号Ｖｏｎを供給する。一方、マルチプレクサ７２のアドレスデコーダ８２は、パネル制御部７６から供給されるアドレス信号に従って選択信号を出力してスイッチＳＷ２を順次切り替え、ライン走査駆動部７０によって選択されたゲート線６６に接続された各画素６４の蓄積容量６２に保持された電荷情報である放射線画像情報を信号線６８を介して順次読み出す。
【００４３】
放射線変換パネル３８の選択されたゲート線６６に接続された各画素６４の蓄積容量６２から読み出された放射線画像情報は、各増幅器７８によって増幅された後、各サンプルホールド回路８０によってサンプリングされ、マルチプレクサ７２を介してＡ／Ｄ変換器８４に供給され、デジタル信号に変換される。デジタル信号に変換された放射線画像情報は、パネル制御部７６により画像処理部１０６に供給される。
【００４４】
同様にして、ライン走査駆動部７０のアドレスデコーダ７４は、パネル制御部７６から供給されるアドレス信号に従ってスイッチＳＷ１を順次切り替え、各ゲート線６６に接続されている各画素６４の蓄積容量６２に保持された電荷情報である放射線画像情報を信号線６８を介して読み出し、マルチプレクサ７２、Ａ／Ｄ変換器８４及びパネル制御部７６を介して画像処理部１０６に供給される。
【００４５】
画像処理部１０６は、放射線画像情報に対して画像処理を施す。処理された放射線画像情報は、例えば、ビューアによって表示され、医師による読影診断に供せられる。
【００４６】
なお、本発明は、上述した実施形態に限定されるものではなく、本発明の主旨を逸脱しない範囲で自由に変更できることは勿論である。
【００４７】
例えば、上述した実施形態では、４枚の遮蔽板４４ａ〜４４ｄを独立に移動可能とし、任意の照射野に設定するよう構成しているが、遮蔽板４４ａ〜４４ｄの少なくとも１枚のみを移動可能として照射野を設定するようにしてもよい。
【００４８】
また、マンモグラフィ装置１０において、ターゲット２８、フィルタ３４又はＸ線の焦点サイズを変更可能とし、それぞれに対してコリメータを調整するパラメータＰを設定するようにしてもよい。さらに、ターゲット２８、フィルタ３４及び／又はＸ線の焦点サイズの組み合わせに対して事前にパラメータＰを求めてテーブル化しておき、このテーブルを参照してパラメータＰを設定するようにしてもよい。
【００４９】
また、放射線画像情報を記録する放射線変換パネル３８に代えて、放射線をシンチレータで可視光に変換した後、電気信号に変換して読み出す固体検出素子を用いた放射線変換パネルや、蛍光体に放射線画像としての放射線エネルギを蓄積し、励起光を照射することで放射線画像を輝尽発光光として取り出すことのできる蓄積性蛍光体パネルを用いることもできる。
【図面の簡単な説明】
【００５０】
【図１】本発明の放射線画像撮影装置及びその調整方法が適用されるマンモグラフィ装置の構成図である。
【図２】図１に示すマンモグラフィ装置における放射線源収納部及び撮影台の内部構造の説明図である。
【図３】図２に示すコリメータの構成図である。
【図４】マンモグラフィ装置に使用される放射線変換パネルの回路構成図である。
【図５】マンモグラフィ装置の制御回路ブロック図である。
【図６】マンモグラフィ装置におけるコリメータの調整作業のフローチャートである。
【図７】放射線変換パネルの画像検出領域と、Ｘ線の照射野との位置関係説明図である。
【図８】コリメータを構成する遮蔽板の位置を決定するパラメータの算出方法の説明図である。
【符号の説明】
【００５１】
１０…マンモグラフィ装置
１２…被写体
１８…放射線源収納部
２０…撮影台
２２…圧迫板
３０…放射線源
３２…コリメータ
３６…乳房
３８…放射線変換パネル
４４ａ〜４４ｄ…遮蔽板
９０…コリメータ駆動部
９８…パラメータ設定部
１００…コリメータ制御部
１０６…画像処理部
１０８…遮蔽板位置算出部
１１０…画像検出領域
１１２、１１４、１１６…照射野
【図１】
2009291472.tif 000003
【図２】
2009291472.tif 000004
【図３】
2009291472.tif 000005
【図４】
2009291472.tif 000006
【図５】
2009291472.tif 000007
【図６】
2009291472.tif 000008
【図７】
2009291472.tif 000009
【図８】
2009291472.tif 000010